(57)【要約】  ジャンル情報が関連付けられたコンテンツを受信して表示するテレビジョン受像機（１０）であって、１つのジャンル情報に対して、ジャンル情報が関連付けられたコンテンツを表示する際の画質を示す画質情報の候補を複数関連付けて、複数の候補の画質情報のうちどの画質情報に基づいてコンテンツを表示するかを示す基礎画質情報を受け付ける、基礎画質情報受付部（４１）と、基礎画質情報に基づく画質を基準として画質をさらに補正する画質補正情報を受け付けて、基礎画質情報及び画質補正情報に基づいて画質を補正するための高度画質補正情報を作成する高度画質補正情報作成部（４２）と、高度画質補正情報に基づいて画質を補正して液晶表示装置（２２）に表示させるための映像を作成する映像処理部（１９）と、を備える。
2011037147.tif 000002
【特許請求の範囲】
【請求項１】
その種類を示すジャンル情報が関連付けられたコンテンツを受信して表示する表示装置であって、
１つの上記ジャンル情報に対して、当該ジャンル情報が関連付けられた上記コンテンツを表示する際の画質を示す画質情報の候補を複数関連付けて、複数の候補の上記画質情報のうちどの上記画質情報に基づいて上記コンテンツを表示するかを示す基礎画質情報のユーザによる入力を受け付ける、基礎画質情報受付手段と、
上記基礎画質情報に基づく画質を基準として当該画質をさらに補正する画質補正情報のユーザによる入力を受け付けて、上記基礎画質情報及び上記画質補正情報に基づいて、画質を補正するための高度画質補正情報を作成する高度画質補正情報作成手段と、
上記高度画質補正情報に基づいて画質を補正して自装置が備える表示部に表示させるための映像を作成する映像処理手段と、
を備えることを特徴とする表示装置。
【請求項２】
上記基礎画質情報受付手段が、上記複数の候補の上記画質情報に基づいて補正した画像を作成して、上記表示部に提示させ、複数の上記画像の中から１つの画像を選択する選択指示を受け付けることによって、上記基礎画質情報を受け付けることを特徴とする請求項１に記載の表示装置。
【請求項３】
上記基礎画質情報受付手段が、複数の上記ジャンル情報に対して、それぞれに上記画質情報を複数関連付けて、上記基礎画質情報を受け付けることを特徴とする請求項１又は２に記載の表示装置。
【請求項４】
上記コンテンツから上記ジャンル情報を抽出するジャンル情報処理手段を備え、
上記映像処理手段は、上記ジャンル情報処理手段が抽出した上記ジャンル情報に対応する上記高度画質補正情報に基づいて上記コンテンツを再生する際の画質を補正することを特徴とする請求項１〜３のいずれか１項に記載の表示装置。
【請求項５】
上記映像処理手段が、
上記表示部が表示している上記コンテンツに関連付けられた上記ジャンル情報と、上記高度画質補正情報作成手段が、上記画質補正情報を受け付ける状態であるときに、当該画質補正情報により補正する対象の上記ジャンル情報と、が異なるときに、それぞれの上記ジャンル情報が異なることを説明する説明文を上記表示部に表示させることを特徴とする請求項１〜４のいずれか１項に記載の表示装置。
【請求項６】
上記高度画質補正情報作成手段が、作成された高度画質補正情報を削除する指示を受け付けたとき、上記映像処理手段は、基礎画質情報受付手段が最後に受け付けた基礎画質情報を記憶した記憶部から当該基礎画質情報を取得して、当該基礎画質情報に基づいて画質を補正して上記表示部に表示させる映像を作成することを特徴とする請求項１〜５のいずれか１項に記載の表示装置。
【請求項７】
請求項１〜６のいずれか１項に記載の表示装置の各手段としてコンピュータを機能させるためのプログラム。
【請求項８】
請求項７に記載のプログラムを記録したコンピュータ読み取り可能な記憶媒体。
【発明の詳細な説明】
【技術分野】
【０００１】
本発明は、表示装置、プログラム及びプログラムが記録されたコンピュータ読み取り可能な記憶媒体に関する。
【背景技術】
【０００２】
番組の再生時にユーザの好み等に応じて、画質を補正する技術として例えば特許文献１〜３が報告されている。【０００３】
特許文献１には、画質パラメータの異なる複数のサンプル画像を提示して、ユーザに所望のサンプル画像を選択させることで、画質パラメータを決定する画像表示装置が記載されている。【０００４】
特許文献２には画質が異なるサンプル動画像をユーザに選択させて画質を決定するテレビジョン受像機が記載されている。【０００５】
特許文献３には現在テレビ放送されている番組に対するトピック及びテーマ情報のような特性を判定し、オーディオ及びビデオ設定値のようなデータを、記憶ユニットに格納されている予め定義された最適受像機特性の表に適合させるシステムが記載されている。
【先行技術文献】
【特許文献】
【０００６】
【特許文献１】日本国公開特許公報「特開２００７−１４７８２８号公報（２００７年６月１４日公開）」
【特許文献２】日本国公開特許公報「特開２００１−１１９６４４号公報（２００１年４月２７日公開）」
【特許文献３】日本国公表特許公報「特表２００１−５１５６７５号公報（２００１年９月１８日公表）」
【発明の概要】
【発明が解決しようとする課題】
【０００７】
ところで、ユーザの画質への好みは視る番組のジャンル等で異なる場合が多い。例えば、映画は一般的な設定で満足しても、スポーツを視る場合は一般的な設定より鮮やかな設定を好む場合がある。一方、映画については一般設定より穏やかな画調を好み、他のジャンルについては鮮明な映像を好む場合がある。さらに、各ジャンルについての映像設定値として、元からテレビ内に登録された設定値ではユーザの好みとは異なるとして、ユーザが不満に感じる場合があった。【０００８】
そこで、本発明は、コンテンツのジャンルに適応し、且つ、ユーザの好みに適応した画質で映像を表示する表示装置を提供する。
【課題を解決するための手段】
【０００９】
上記課題を解決するために、本発明に係る表示装置は、その種類を示すジャンル情報が関連付けられたコンテンツを受信して表示する表示装置であって、１つの上記ジャンル情報に対して、当該ジャンル情報が関連付けられた上記コンテンツを表示する際の画質を示す画質情報の候補を複数関連付けて、複数の候補の上記画質情報のうちどの上記画質情報に基づいて上記コンテンツを表示するかを示す基礎画質情報のユーザによる入力を受け付ける、基礎画質情報受付手段と、上記基礎画質情報に基づく画質を基準として当該画質をさらに補正する画質補正情報のユーザによる入力を受け付けて、上記基礎画質情報及び上記画質補正情報に基づいて、画質を補正するための高度画質補正情報を作成する高度画質補正情報作成手段と、上記高度画質補正情報に基づいて画質を補正して自装置が備える表示部に表示させるための映像を作成する映像処理手段と、を備えることを特徴としている。【００１０】
上記の構成によれば、予め設定された複数の候補の画質情報から所望の画質情報を選択することにより、コンテンツの画質をジャンル毎に基礎画質情報を用いてかんたんに設定することができ、さらに、高度画質補正情報を作成することにより、ユーザの好みにより正確に対応した画質調整が可能となる。よって、コンテンツのジャンルに適応し、且つ、ユーザの好みに適応した画質で映像を表示することができる。【００１１】
なお、上記表示装置は、コンピュータによって実現してもよい。この場合、コンピュータを上記各手段として動作させることにより上記コンテンツ再生装置をコンピュータにおいて実現するプログラム、及びそのプログラムを記録したコンピュータ読み取り可能な記録媒体も、本発明の範疇に入る。
【発明の効果】
【００１２】
本発明に係る表示装置は、以上のように、その種類を示すジャンル情報が関連付けられたコンテンツを受信して表示する表示装置であって、１つの上記ジャンル情報に対して、当該ジャンル情報が関連付けられた上記コンテンツを表示する際の画質を示す画質情報の候補を複数関連付けて、複数の候補の上記画質情報のうちどの上記画質情報に基づいて上記コンテンツを表示するかを示す基礎画質情報を受け付ける、基礎画質情報受付手段と、上記基礎画質情報に基づく画質を基準として当該画質をさらに補正する画質補正情報を受け付けて、上記基礎画質情報及び上記画質補正情報に基づいて画質を補正するための高度画質補正情報を作成する高度画質補正情報作成手段と、を備えるので、コンテンツのジャンルに適応し、且つ、ユーザの好みに適応した画質で映像を表示するという効果を奏する。
【図面の簡単な説明】
【００１３】
【図１】本発明に係る表示装置の一実施形態の構成を模式的に示す図である。
【図２】本発明に係る表示装置の一実施形態における動作の一例を示すフローチャートである。
【図３】本発明に係る表示装置の一実施形態における画面の一例を示す図である。
【図４】本発明に係る表示装置の一実施形態における画面の一例を示す図である。
【図５】本発明に係る表示装置の一実施形態におけるテレビジョン受像機が表示するサンプル画像の補正係数の一例を示す図である。
【図６】本発明に係る表示装置の一実施形態における画面の一例を示す図である。
【図７】本発明に係る表示装置の一実施形態における画面の一例を示す図である。
【図８】本発明に係る表示装置の一実施形態における画面の一例を示す図である。
【発明を実施するための形態】
【００１４】
以下、本発明の実施の形態について、図１〜図８を用いて詳細に説明する。なお、以下の説明では本発明を実施するために好ましい種々の限定が付与されているが、本発明の技術的範囲は以下の実施の形態及び図面の記載に限定されるものではない。
【００１５】
〔テレビジョン受像機１０の構成〕
最初に、図１を用いて、本発明に従った表示装置を備えたテレビジョン受像機の構成の概要を説明する。図１はテレビジョン受像機１０の構成を模式的に示す図である。
【００１６】
図１において、テレビジョン受像機１０（表示装置）は、例えば、画面サイズ１６：９（１９２０×１０１０ドット）の液晶表示装置２２（表示手段）を有するテレビジョン受像機の全体を示している。テレビジョン受像機１０は、バス８に接続されたＣＰＵ６、メモリ７を有しており、テレビジョン受像機１０の動作は、ＣＰＵ６及び前記メモリ７に記憶された各種の制御プログラムにより制御される。即ち、この図１に示されたテレビジョン受像機では、ＣＰＵ６を含むコンピュータ・システムによって制御されており、テレビジョン受像機をコンピュータ・システムによって動作させるためのプログラムはメモリ７に記憶されている。
【００１７】
メモリ７は、通常、ＲＡＭによって構成されるが、一部にＲＯＭを含んでいてもよい。また、書き換え可能なフラッシュメモリ等を含んでいてもよい。前記メモリ７には、ＣＰＵを動作させるためのＯＳや各種の制御ソフト等が記憶され、放送波を介して受信したＥＰＧデータ等の番組情報に関するデータ、ＯＳＤ表示を行なう際に必要となるＯＳＤ用画像データ等が記憶されている。また、前記メモリ７は、各種制御動作に必要なワークメモリとして働くワーク領域を有している。
【００１８】
テレビジョン受像機１０には、デジタルチューナー部１４の外に、アナログチューナー部１２が設けられており、アナログ放送も受信可能とされている。また、外部入力部３１には、ＨＤＤ、ＳＤカード等の固体メモリ、ＢＤ（ブルーレイディスク）、ＤＶＤ、ＣＤ等のディスク装置等、種々の外部機器３０が接続可能とされており、更に、テレビジョン受像機１０の本体内にもＢＤ／ＤＶＤ／ＣＤの記録／再生部３２が内蔵されている。更に、ＩＰ放送チューナー部２３が備えられており、ＩＰ放送の受信も可能とされている。
【００１９】
テレビジョン受像機１０は、この外、ＡＶスイッチ部１３、デジタル復調部１５、分離部（ＤＭＵＸ）１６、ビデオデコード／キャプチャ部１７、ビデオセレクタ部１８、映像処理部１９（映像処理手段）、加算回路２０、表示制御部２１、液晶表示装置２２、ＥＰＧ／ＯＳＤ／予約処理部２４、オーディオデコード部２５、オーディオセレクタ部２６、音声出力変換部２７、スピーカ２８、選局部３３、通信制御部３４、リモコン受光部３５、基礎画質情報受付部４１（基礎画質情報受付手段）、高度画質補正情報作成部４２（高度画質補正情報作成手段）、ジャンル情報処理部４３（ジャンル情報処理手段）を有している。テレビジョン受像機１０には、更に、周囲の明るさを検出するためのＯＰＣセンサ３８が設けられている。なお、ＯＰＣセンサ３８は、ローパスフィルタを含む照度センサであることがより好ましい。これにより、例えば人がセンサの前を通過するなどの一時的な変化を緩和して、照度を平滑に取得することができる。
【００２０】
アナログチューナー部１２は、アナログ放送受信用のアンテナ１１を介して受信するアナログテレビ放送信号を選局するもので、選局部３３からの選局指示に応じて選局を行なう。アナログチューナー部１２からの受信信号は、ＡＶスイッチ部１３において、音声信号と映像信号とに分離され、映像信号はビデオセレクタ部１８に入力され、音声信号はオーディオセレクタ部２６に入力される。
【００２１】
デジタルチューナー部１４は、デジタル放送受信用アンテナ４０を介して受信するデジタルテレビ放送信号を選局するもので、選局部３３からの選局指示に応じて受信するチャンネルの選局を行なう。デジタルチューナー部１４からの受信信号は、デジタル復調部１５にて復調され、分離部（ＤＭＵＸ）１６に送られる。
【００２２】
ＩＰ放送チューナー部２３は、電話回線・ＬＡＮ等に接続された通信制御部３４を介して受信するＩＰ放送を選局するもので、選局部３３からの選局指示に応じて受信する特定のＩＰ放送を選局し、出力を分離部（ＤＭＵＸ）１６に送る。
【００２３】
分離部（ＤＭＵＸ）１６は、デジタル復調部１５又はＩＰ放送チューナー部２３から入力された、多重化された映像データ、音声データを分離し、映像データをビデオデコード／キャプチャ部１７に送り、音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送る。なお、分離部（ＤＭＵＸ）１６によって抽出された放送波信号は、必要に応じてＣＰＵ６による書き込み制御によりメモリ７に記録される。
【００２４】
ビデオデコード／キャプチャ部１７は、分離部（ＤＭＵＸ）１６によって分離された映像データをデコードしたり、映像データに含まれるビデオ情報を静止画としてキャプチャしたりする。前記ビデオデコード／キャプチャ部１７によってデコードされた映像信号は、ビデオセレクタ部１８に送られる。ビデオセレクタ部１８には、既に説明したとおり、アナログチューナー部１２からの映像信号が入力されており、また、外部入力部３１からの映像信号も入力されている。ビデオセレクタ部１８は、ＣＰＵ６からの制御信号により、これらの入力映像信号から１つの映像信号を選んで出力し、映像処理部１９に送る。
【００２５】
映像処理部１９では、入力された映像信号に対して、例えば、ノイズリダクションの処理、シャープネスの調整、コントラストの調整等の映像処理を行ない、液晶表示装置２２に対して最適な映像信号となるように映像データを変換する。
【００２６】
また、映像処理部１９は、後述する高度画質補正情報に基づいて画質を補正した映像を作成する。また、後述するプロ設定は、液晶表示部２２に表示された画像をユーザが視聴しながら行なわれるが、この際、当該画像の由来するコンテンツのジャンル情報と、プロ設定の対象となっているジャンル情報と、が異なるときに、それぞれの上記ジャンル情報が異なることを説明する説明文を液晶表示部２２に表示させる。
【００２７】
表示制御部２１は、受信した映像データを液晶表示装置２２に表示させるための駆動回路を含む部分であり、加算回路２０によって加算された、ＥＰＧ／ＯＳＤ／予約処理部２４からの電子番組表（ＥＰＧ；Electronic Program Guide）データ、或いは、ＯＳＤ（オン・スクリーン・ディスプレイ）データを、映像処理部１９からの映像データに加えて液晶表示装置２２に送る。液晶表示装置２２では、送られてきた映像データを画面上に表示する。
【００２８】
ＥＰＧ／ＯＳＤ／予約処理部２４では、更に、本発明に従ったスケーリング表示のための処理を行なう。
【００２９】
オーディオデコード部２５は、分離部（ＤＭＵＸ）１６によって分離された音声データをデコードするものである。オーディオデコード部２５は、デコードした音声信号をオーディオセレクタ部２６に送る。
【００３０】
オーディオセレクタ部２６では、ＡＶスイッチ部１３からの音声信号、外部入力部３１からの音声信号、及び、オーディオデコード部２５からの音声信号を受け、ＣＰＵ６からの制御によってビデオセレクタ部１８で選択された映像信号に対応した音声信号を選択し、音声出力変換部２７を介して音声信号をスピーカ２８に送る。音声出力変換部２７は、受信した音声信号をスピーカ２８での再生に最適な信号に変換してスピーカ２８に供給する。
【００３１】
リモコン受光部３５は、リモートコントローラ３６（以下リモコン３６という）からの光信号を受信して、前記リモコン３６からの制御信号を受け付けるためのものである。後から説明するスケーリング表示への移行、スケーリング表示時の各種ボタンの選択と決定等、視聴者からの指示は、このリモコン３６を介して行なわれる。
【００３２】
ＥＰＧ／ＯＳＤ／予約処理部２４は、定期的に更新保存されたＥＰＧデータに基づき電子番組表を作成し、また、メモリ７に予め保存されているＯＳＤデータを描画する。前記のＯＳＤデータとは、例えば、予めメモリ７に記憶された設定メニュー画面、音量ケージ、現在時刻、選局チャンネル等の各種情報を描画するためのデータである。また、ＥＰＧ／ＯＳＤ／予約処理部２４は、前記の電子番組表を利用して番組の予約処理等を行なう。
【００３３】
通信制御部３４は、電話回線、ＬＡＮ、インターネット等のネットワーク網を介して通信を確立させるように制御を行なう。
【００３４】
基礎画質情報受付部４１は、１つのジャンル情報に対して、コンテンツの画質を示す画質情報の候補を複数関連付けて、複数の候補の画質情報のうち一つの画質情報を選択する指示をユーザより受け付けて選択された画質情報を基礎画質情報として認識する。具体的には、複数の画質情報に基づいて補正した複数の画像を作成して、液晶表示装置２２に表示させ、複数の上記画像の中から１つの画像を選択する選択指示を、リモコン受光部３５を介して受け付けることによって、基礎画質情報を受け付ける。つまり、基礎画質情報は、上述した複数の画質情報のうち、ユーザによって選択された１つの画質情報である。受け付けた基礎画質情報はジャンル情報に関連付けてメモリ７に送信し、メモリ７は基礎画質情報をジャンル情報と関連付けて記憶する。
【００３５】
高度画質補正情報作成部４２は、基礎画質情報に基づく画質を基準として、さらに当該画質を補正する画質補正情報のユーザによる入力を受け付けて、基礎画質情報及び当該画質補正情報に基づいて画質を補正するための高度画質補正情報を作成する。例えば、ユーザは基礎画質情報を選択した後、基礎画質情報に基づいて処理された画質を基準にして、当該画質をさらに自分の好みの画質に補正するように設定することができる。この補正するための情報が画質補正情報であり、基礎画質情報に当該画質補正情報を加えた情報、つまり、デジタルチューナー部１４等が受け付けた画質に対して、基礎画質情報に当該画質補正情報を加味して画質を補正するための情報が高度画質補正情報である。
【００３６】
このように、まず複数の画像から好みの画質に近い画像を選択することで基礎画質情報を選択しておいて、さらに、高度画質補正情報を入力することは、ユーザにとって、より短時間で好みの画質にすることができる。つまり、ユーザは、初期値から好みの画質にするための操作をするのではなく、一旦、ある程度自分の好みに近い画質に設定しておいて、その画質に対して調整を行なえば、好みの画質に設定できるのである。よって、初期値から様々なパラメータを調整する場合に比べて、短時間で、且つ、簡便に画質の調整を行なうことができる。
【００３７】
高度画質補正情報作成部４２は高度画質補正情報を作成した後、ジャンル情報と関連付けてメモリ７に送信し、メモリ７は高度画質補正情報をジャンル情報と関連付けて記憶する。なお、本発明にいう「画質補正情報を受け付ける状態」とは、ユーザが画質補正情報の入力を行なう設定を選択した後であって、入力し終わった後等の入力を行なわないことを選択する前の状態をいう。
【００３８】
また、テレビジョン受像機１０は、ジャンル情報処理部４３（ジャンル情報処理手段）を備えている。
【００３９】
ジャンル情報処理部４３は、分離部１６、外部入力部３１、記録／再生部３２のうち、コンテンツを受信した部材から、そのコンテンツのジャンル情報を判別して取得する。
【００４０】
例えば、デジタル放送においては、ジャンル情報が大分類、中分類と分類されて関連付けられている。大分類としては、例えば、「ニュース／報道」、「情報／ワイドショー」、「バラエティ」、「映画」、「スポーツ」等がある。中分類としては、例えば大分類が「ニュース／報道」の場合は「定時・総合」、「ローカル／地域」、「天気」等がある。一般に一つの放送番組（コンテンツ）には、複数の大分類のジャンル情報が関連付けられている。例えば、スポーツニュースの場合は「ニュース／報道」、「スポーツ」の大分類のジャンル情報が関連付けられており、さらに、これらに属する中分類のジャンル情報がいくつか関連付けられている。ジャンル情報処理部４３は、分離部１６、外部入力部３１、記録／再生部３２のいずれかが、これらのジャンル情報が関連付けられたコンテンツを受信したときに、当該コンテンツに関連付けられたジャンル情報を取得する。ここで、取得するジャンル情報は、当該コンテンツに関連付けられたジャンル情報の一部でもよいし全部でもよい。また、ジャンル情報処理部４３は、後述するようにコンテンツのフレーム周波数等から、例えば、フィルム由来であるか否か等を判断することもできる。
【００４１】
ところで、メモリ７は、ジャンル情報に対して、デフォルトの画質補正係数、基礎画質情報及び高度画質補正情報のいずれかを関連付けて保存している。つまり、後述のテレビジョン受像機１０の動作について説明するように、かんたん設定をしなければ、ジャンル毎にデフォルトの画質補正係数が関連付けられており、かんたん設定行ない且つプロ設定をしなければ基礎画質情報が関連付けられており、プロ設定が行なわれることで高度画質補正情報が関連付けられる。そこで、映像処理部１９は、ジャンル情報処理部４３が取得したジャンル情報に関連付けられた画質補正係数等をメモリ７から取得して、その画質補正係数等に基づき映像を補正する処理を行ない、表示制御部２１に送信する。
【００４２】
なお、本実施形態ではテレビジョン受像機が受信するコンテンツがデジタル放送である場合について説明するが、アナログ放送でも同様の処理が可能である。つまり、アナログ放送の場合は、音声解析及び画像解析等を行なって番組の種類を表すキーワードをジャンル情報として抽出することによって、ジャンル情報を取得することが可能である。そして、当該キーワードに基づいて画質補正係数の取得等を行なう。
【００４３】
〔テレビジョン受像機１０の動作〕
次に、テレビジョン受像機１０の動作について、図２〜図８を用いて説明する。図２はテレビジョン受像機１０における動作の一例を示すフローチャートである。
【００４４】
本実施形態では、テレビジョン受像機１０に初めて電源を入れる場合について説明する。まず、初回、電源が入れられる（ステップＳ１０１）。次に、画質設定を行なうかどうかをユーザに尋ねる画面を表示して、画質設定をするか否かについて指示を受け付けるための画面を表示する（ステップＳ１０２）。画質設定をしないとの指示を受け付けた場合（ステップＳ１０２においてＮｏ）、ステップＳ１０３に進む。ステップＳ１０３では、映像処理部１９に画質を処理させる際に、ＡＶモードを選択させる。ＡＶモードとは、輝度、コントラスト等の画質補正情報のパラメータを組み合わせたものの一つであり、予めメモリ７に登録されている。この場合、映像処理部１９は、ＡＶモードに従って画質を補正して、補正された画質に基づいて液晶表示装置２２が映像を表示することとなる。
【００４５】
ステップＳ１０２にて画質を設定するとの指示を受け付けた場合には（ステップＳ１０２においてＹｅｓ）、お好み設定をするか否かについて指示を受け付けるための画面を表示する（ステップＳ１０４）。このときの画面の一例を図３に示す。図３はテレビジョン受像機１０が表示する画面の一例である。図３に示すように、画面１０１ではユーザにお好み設定するか否かを問いかけるメッセージを表示する。ここで「お好み設定」は、ユーザの好みに適応するような画質を設定するとの意味であり、後述するかんたん設定及びプロ設定からなる。お好み設定をしないとの指示を受け付けた場合（ステップＳ１０４においてＮｏ）、ステップＳ１０３に進む。ステップＳ１０４にてお好み画質を設定するとの指示を受け付けた場合には（ステップＳ１０４においてＹｅｓ）、かんたん設定をするか否かについて指示を受け付けるための画面を表示する（ステップＳ１０５）。
【００４６】
かんたん設定とは、複数の画質情報に基づいて補正したサンプル画像を作成して、液晶表示装置２２にサンプル画像を表示させ、複数のサンプル画像の中から１つの画像を選択する選択指示を受け付けることによって、基礎画質情報を受け付ける設定である。
【００４７】
かんたん設定をしないとの指示を受け付けた場合（ステップＳ１０５においてＮｏ）、ステップＳ１０６に進む。ステップＳ１０６では、映像処理部１９が、画質を処理する際に、ジャンル毎に画質を設定したデフォルト値を選択する。つまり、予め、メモリ７にはコンテンツのジャンル情報に関連付けられて画質を補正するための画質補正係数のデフォルト値が予め記憶されており、映像処理部１９は画質を処理する際に、ジャンル情報処理部４３から表示するコンテンツのジャンル情報を取得し、メモリ７から当該ジャンル情報に関連付けられたデフォルト値を取得して、当該デフォルト値に基づいて画質を処理する。
【００４８】
かんたん設定をするとの指示を受け付けた場合（ステップＳ１０５においてＹｅｓ）、ステップＳ１０７に進む。かんたん設定をする際の画面の一例を図４に示す。図４はテレビジョン受像機１０が表示する画面の一例である。図４に示すように、ステップＳ１０７において、画面１０２では３種類の候補の画質情報に基づいて処理された３つのサンプル画像が表示されて、ユーザはどのサンプル画像が自分の好みに適応するものであるかを選択する。このようにサンプル画像を提示することで、ユーザは、好みの画像を直感的に選択することができる。
【００４９】
より具体的には、本実施形態では、１つのジャンル毎に３枚のサンプル画像を提示し、３種類のジャンルについて行なう。３種類のジャンルとは、「フィルム」、「ビデオ」、「スポーツ」である。「フィルム」とは、フィルム由来であることを示し、２４Ｈｚで撮影されたコンテンツを３：２プルダウン処理したコンテンツのジャンルである。「ビデオ」とは６０Ｈｚの通常放送に由来するコンテンツのジャンルである。「スポーツ」とは、スポーツのジャンル情報が関連付けられているコンテンツのジャンルである。いずれもジャンル情報処理部４３によって判別される。サンプル画像は、それぞれ異なるパターンで補正されている。サンプル画像を補正するパターンを図５に示す。図５はテレビジョン受像機１０が表示するサンプル画像の補正係数の一例を示す図である。なお、ジャンル情報としては「ビデオ」、「フィルム」、「スポーツ」の３種類に限定されるものではなく、「ニュース／報道」、「情報／ワイドショー」、「バラエティ」、「映画」等の様々なジャンルを識別できるようにジャンル情報処理部４３を構成してもよい。
【００５０】
図５に示すように、サンプル画像の色飽和度、シャープネス及びガンマが補正されている。例えば、「フィルム」のジャンルのサンプル画像は、パターン１〜パターン３までの処理がされており、パターン１のサンプル画像は色飽和度が１００％、シャープネスが０、ガンマが直線となっており、パターン２のサンプル画像は色飽和度が１０５％、シャープネスが＋２、ガンマが直線となっており、パターン３のサンプル画像は色飽和度が１２０％、シャープネスが＋４、ガンマがＳ字特性（弱）となっている。このパターン１〜パターン３で処理された３枚のサンプル画像が、ジャンル毎に提示され、ユーザはジャンル毎にパターン１〜パターン３のどれが好みかを選択する。これにより、メモリ７は例えば、ジャンルが「フィルム」であればパターン１、ジャンルが「ビデオ」であればパターン２、ジャンルが「スポーツ」であればパターン３の画質補正係数（基礎画質情報）というように、ジャンル情報と基礎画質情報とを関連付けて記憶する。
【００５１】
なお、ここで説明する例において、パターン２は標準的な画質補正を行なうパターンであり、パターン１はいわゆる「あっさり」な画質補正を行なうパターンであり、パターン３はいわゆる「こってり」な画質補正を行なうパターンである。「あっさり」であるとは、例えば、色飽和度でいえば色調が穏やかであることを意味し、シャープネスでいえば輪郭がより曖昧であり穏やかな画調であることを意味し、ガンマでいえば直線であるか又はＳ字特性がより弱いことを意味する。また、「こってり」であるとは、例えば、色飽和度でいえば色がより鮮やかであることを意味し、シャープネスでいえば輪郭がより強調されることを意味し（０が初期値であり＋の値が大きいほどシャープネスが強くなる）、がんまで言えば、Ｓ字特性がより強いことを意味する。
【００５２】
次に、ステップＳ１０８に進む。ステップＳ１０８では、テレビジョン受像機１０は、ユーザがプロ設定を希望するか否かを認識する。例えば、ユーザがメニュー画面からプロ設定を選択すれば（ステップＳ１０８においてＹｅｓ）、プロ設定に進み（ステップＳ１０９）、ステップＳ１０７の後にプロ設定が選択されない場合はステップＳ１１０に進む。ステップＳ１１０では、映像処理部１９は画質補正する際に、ジャンル情報に関連付けられた基礎画質情報を選択する。
【００５３】
ステップＳ１０９ではプロ設定が行なわれる。プロ設定とは、上述のかんたん設定で選択した画質に対して、ユーザが好みに応じてさらに画質を調整するための設定をいう。つまり、画質に対してより詳しい知識を持ったプロ向けの設定であるためプロ設定と呼ぶ。ここでは、基準画質情報を基準としてさらに画質を補正するための画質補正情報を受け付ける。そして、基準画質情報に当該画質補正情報を加味した画質補正をするための高度画質補正情報を高度画質補正情報作成部４２が作成する。
【００５４】
プロ設定を行なう際の画面の例を図６〜図８に示す。図６〜図８はそれぞれテレビジョン受像機１０が表示する画面の一例である。
【００５５】
図６に示すように、画面１０３では、領域２０１に画像が表示されている。領域２０１の画像は現在受信しており、ユーザが選択したチャンネルにて放映されている放送番組をキャプチャした静止画又は動画である。領域２０２には当該放送番組のジャンルが表示されている。領域２０３には現在選択されているプロ設定を行なう対象のジャンルが表示されている。図６の例では、プロ設定を行なう対象として選択されているジャンルと、当該放送番組のジャンルが異なっているので、このままプロ設定を行なっても、静止画／動画にプロ設定の結果を反映させることができないため、プロ設定の結果をユーザは確認できない。そのため領域２０４に、プロ設定の対象として選択されているジャンルと当該放送番組のジャンルとが異なることを示す警告文章が表示されている。
【００５６】
従って、ユーザはプロ設定の対象となるジャンルを選択することとなる。図６の領域２０３にカーソルを合わせて選択すると、図７の画面１０４に示すようにジャンルを変更できるように画面が変わる。図７の領域２０５はジャンルを変更するための画像が表示された領域である。現在、スポーツが選択されているが、カーソルを一つ下げることで領域２０２が表示するジャンルと同じ「ビデオ」を選択することができる。これにより、プロ設定の対象として選択されているジャンルと当該放送番組のジャンルとを合わせることができる。なお、上述の警告文章はプロ設定の対象のジャンルを選択する画面である画面１０４になった際に消去される。また、このとき映像のジャンルに応じてメニューを自動で同じジャンルに変更させてもよい。
【００５７】
プロ設定の対象のジャンルを選択すると、図８の画面１０５に示すように、画質のパラメータを調整する画面が表示される。領域２０６には、色飽和度、シャープネス、ガンマを調整するための調整バーが表示され、ユーザはリモートコントローラ３６を介して、各パラメータを調整する指示を送り、高度画質補正情報作成部４２は当該指示を画質補正情報として受付け、基礎画質情報と合わせて高度画質補正情報を作成する。作成した高度画質補正情報をジャンル情報と関連付けて、メモリ７に送信し、メモリ７は当該ジャンル情報と当該高度画質補正情報とを関連付けて記憶する。本実施形態では調整するパラメータとして、色飽和度、シャープネス、ガンマを例に説明したが、画質を調整するためのパラメータはこれらに限定されるものではなく、例えば、輝度、黒レベル等の様々なパラメータを調整できるように構成してもよい。
【００５８】
次に、ステップＳ１１１に進む。ステップＳ１１１では、映像処理部１９は画質補正する際に、ジャンル情報に関連付けられた高度画質補正情報を選択する。
【００５９】
なお、本実施形態では、電源を初めて入れた直後にかんたん設定及びプロ設定を行なう場合について説明したがこれに限定されず、かんたん設定及びプロ設定は電源さえ入っていればいつでも行なえるように構成してもよい。
【００６０】
なお、ユーザがプロ設定の後にかんたん設定を行なおうとすると、以前に設定したユーザ好みの調整が初期化されてしまうことを警告する警告文章を表示するようにしてもよい。例えば、かんたん設定にて「ビデオ」のジャンルでパターン３を選び（シャープネスが＋６を選び）、その後プロ設定にてシャープネスを＋５に調整したとする。しかし、ユーザが再度かんたん設定を行なうことを希望する場合がある。かんたん設定を再度行なう場合、前回行なったかんたん設定の結果がクリアされてしまい、シャープネスが＋２、＋４、＋６のいずれかに設定されてしまい、以前のユーザ好みの調整がクリアされてしまうこととなる。そこで、以前のユーザ好みの調整がクリアされてしまうことを警告する文章を表示するのである。これにより、ユーザが安易にお好み設定を再度行なおうとした場合、誤ってお好み設定を再度行なおうとした場合に、その作業を中断させることができる。
【００６１】
また、複数のユーザを登録できるようにしておき、ユーザ毎の、且つ、ジャンル毎の、お好み設定の結果をメモリ７が保存しておき、視聴するユーザに応じて画質を切り替えるように構成してもよい。
【００６２】
また、お好み設定の結果を実際の放送番組の表示に適応させるか否かを切り替えることができるようにユーザに選択させる機能を有していてもよい。これにより、ユーザは自身の好みの画質による画像の視聴と、標準的な画質による画像の視聴とを切り替えることができる。
【００６３】
また、プロ設定を行なった場合においても、かんたん設定の結果を示す情報（つまり基礎画質情報）をメモリ７に記憶させておき、プロ設定の結果を示す情報（つまり高度画質補正情報）をクリアした後に、かんたん設定の終了時点に戻るようにしてもよい。つまり、プロ設定の結果をクリアすることで、かんたん設定を行なう前の段階に戻るのではなく、かんたん設定後の状態に戻すことで、再度かんたん設定を行なう手間を省くことができる。つまり、本発明に係る表示装置では、高度画質補正情報作成手段が、作成された高度画質補正情報を削除する指示を受け付けたとき、映像処理手段は、基礎画質情報受付手段が最後に受け付けた基礎画質情報を記憶した記憶部から当該基礎画質情報を取得して、当該基礎画質情報に基づいて画質を補正して表示部に表示させる映像を作成してもよい。これにより、ユーザは再度基礎画質情報を入力する手間を省くことができる。
【００６４】
また、以上の説明では、かんたん設定を行なった後にプロ設定をする場合について説明したが、かんたん設定を行なわずにプロ設定を行なうことを可能にしてもよい。その場合、予めテレビジョン受像機１０が登録している画質補正係数のデフォルト値を基準としてプロ設定を行なえるようにすればよい。
【００６５】
また、以上の説明では、かんたん設定を行なう際に、サンプル画像を提示する形態について説明したが、サンプル画像の代わりに、「色飽和度を、（１）あっさり、（２）普通、（３）こってりのどれにしますか」といった説明文を表示してもよい。このように、かんたん設定時、つまり、基礎画質情報を受け付ける状態には、候補の画質情報で補正した画像又は説明文を表示すればよい。
【００６６】
以上の説明では、特に、テレビジョン受像機を例にして述べているが、その他にも、テレビを視聴可能とした携帯機器、例えば、携帯電話、カーナビゲーションシステム、携帯ゲーム端末機等においてテレビを受信する場合にも本願の発明に従った表示方法を適用できることは明らかである。
【００６７】
〔プログラム及び記録媒体〕
最後に、テレビジョン受像機１０に含まれている各部は、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００６８】
すなわちテレビジョン受像機１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、及び、上記プログラム及び各種データを格納するメモリ等の記憶装置（記録媒体）を備えている。この構成により、本発明の目的は、所定の記録媒体によっても、達成できる。
【００６９】
この記録媒体は、上述した機能を実現するソフトウェアであるテレビジョン受像機１０のプログラムのプログラムコード（実行形式プログラム、中間コードプログラム、ソースプログラム）をコンピュータで読み取り可能に記録していればよい。テレビジョン受像機１０に、この記録媒体を供給する。これにより、コンピュータとしてのテレビジョン受像機１０（またはＣＰＵ若しくはＭＰＵ）が、供給された記録媒体に記録されているプログラムコードを読み出し、実行すればよい。
【００７０】
プログラムコードをテレビジョン受像機１０に供給する記録媒体は、特定の構造または種類のものに限定されない。すなわちこの記録媒体は、たとえば、磁気テープ及びカセットテープ等のテープ系、フロッピー（登録商標）ディスク／ハードディスク等の磁気ディスク及びＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００７１】
また、テレビジョン受像機１０を通信ネットワークと接続可能に構成しても、本発明の目的を達成できる。この場合、上記のプログラムコードを、通信ネットワークを介してテレビジョン受像機１０に供給する。この通信ネットワークはテレビジョン受像機１０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００７２】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡ及びリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００７３】
さらに、本発明に係る表示装置では、上記基礎画質情報受付手段が、上記複数の候補の上記画質情報に基づいて補正した画像を作成して、上記表示部に提示させ、複数の上記画像の中から１つの画像を選択する選択指示を受け付けることによって、上記基礎画質情報を受け付けることがより好ましい。
【００７４】
実際に画質が調整された画像を視ながら基礎画質情報を選択することができるので、より簡単に基礎画質情報を選択することができる。
【００７５】
さらに、本発明に係る表示装置では、上記基礎画質情報受付手段が、複数の上記ジャンル情報に対して、それぞれに上記画質情報を複数関連付けて、上記基礎画質情報を受け付けることがより好ましい。
【００７６】
複数のジャンルに対して、それぞれに基礎画質情報を、ひいては高度画質補正情報を関連付けることができる。よって、ジャンルが複数種類あっても、ジャンル毎にユーザの好みに対応した画質によって映像を表示することができる。
【００７７】
さらに、本発明に係る表示装置では、上記コンテンツから上記ジャンル情報を抽出するジャンル情報処理手段を備え、上記映像処理手段は、上記ジャンル情報処理手段が抽出した上記ジャンル情報に対応する上記高度画質補正情報に基づいて上記コンテンツを再生する際の画質を補正することがより好ましい。
【００７８】
受信する放送番組等のコンテンツのジャンルをジャンル情報処理手段が抽出して認識し、そのジャンルに対応した高度画質補正情報によって画質を表示することができる。よって、自動的にコンテンツのジャンルに対応した画質を作成して映像を提供することができる。
【００７９】
さらに、本発明に係る表示装置では、上記映像処理手段が、上記表示部が表示している上記コンテンツに関連付けられた上記ジャンル情報と、上記高度画質補正情報作成手段が、上記画質補正情報を受け付ける状態であるときに、当該画質補正情報により補正する対象の上記ジャンル情報と、が異なるときに、それぞれの上記ジャンル情報が異なることを説明する説明文を上記表示部に表示させることがより好ましい。
【００８０】
これにより、ユーザは高度画質補正情報を構成するための画質補正情報を入力しようとする際に、表示部に表示されている画像が目的のジャンル情報に由来するものでないことを知ることができる。
【００８１】
さらに、本発明に係る表示装置では、上記高度画質補正情報作成手段が、作成された高度画質補正情報を削除する指示を受け付けたとき、上記映像処理手段は、基礎画質情報受付手段が最後に受け付けた基礎画質情報を記憶した記憶部から当該基礎画質情報を取得して、当該基礎画質情報に基づいて画質を補正して上記表示部に表示させる映像を作成してもよい。
【００８２】
これにより、ユーザは再度基礎画質情報を入力する手間を省くことができる。
【００８３】
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【産業上の利用可能性】
【００８４】
本発明は、テレビジョン受像機等の表示装置として最適に使用できる。
【符号の説明】
【００８５】
１０  テレビジョン受像機（表示装置）
１９  映像処理部（映像処理手段）
２２  液晶表示装置（表示部）
４１  基礎画質情報受付部（基礎画質情報受付手段）
４２  高度画質補正情報作成部（高度画質補正情報作成手段）
４３  ジャンル情報処理部（ジャンル情報処理手段）
【図１】
2011037147.tif 000003
【図２】
2011037147.tif 000004
【図３】
2011037147.tif 000005
【図４】
2011037147.tif 000006
【図５】
2011037147.tif 000007
【図６】
2011037147.tif 000008
【図７】
2011037147.tif 000009
【図８】
2011037147.tif 000010
【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
その種類を示すジャンル情報が関連付けられたコンテンツを受信して表示する表示装置であって、
１つの上記ジャンル情報に対して、当該ジャンル情報が関連付けられた上記コンテンツを表示する際の画質を示す画質情報の候補を複数関連付けて、複数の候補の上記画質情報のうちどの上記画質情報に基づいて上記コンテンツを表示するかを示す基礎画質情報のユーザによる入力を受け付ける、基礎画質情報受付手段と、
上記基礎画質情報に基づく画質を基準として当該画質をさらに補正する画質補正情報のユーザによる入力を受け付けて、上記基礎画質情報及び上記画質補正情報に基づいて、画質を補正するための高度画質補正情報を作成する高度画質補正情報作成手段と、
上記高度画質補正情報に基づいて画質を補正して自装置が備える表示部に表示させるための映像を作成する映像処理手段と、
を備え、
上記映像処理手段が、
上記表示部が表示している上記コンテンツに関連付けられた上記ジャンル情報と、上記高度画質補正情報作成手段が、上記画質補正情報を受け付ける状態であるときに、当該画質補正情報により補正する対象の上記ジャンル情報と、が異なるときに、それぞれの上記ジャンル情報が異なることを説明する説明文を上記表示部に表示させることを特徴とする表示装置。
【請求項２】
その種類を示すジャンル情報が関連付けられたコンテンツを受信して表示する表示装置であって、
１つの上記ジャンル情報に対して、当該ジャンル情報が関連付けられた上記コンテンツを表示する際の画質を示す画質情報の候補を複数関連付けて、複数の候補の上記画質情報のうちどの上記画質情報に基づいて上記コンテンツを表示するかを示す基礎画質情報のユーザによる入力を受け付ける、基礎画質情報受付手段と、
上記基礎画質情報に基づく画質を基準として当該画質をさらに補正する画質補正情報のユーザによる入力を受け付けて、上記基礎画質情報及び上記画質補正情報に基づいて、画質を補正するための高度画質補正情報を作成する高度画質補正情報作成手段と、
上記高度画質補正情報に基づいて画質を補正して自装置が備える表示部に表示させるための映像を作成する映像処理手段と、
を備え、
上記高度画質補正情報作成手段が、作成された高度画質補正情報を削除する指示を受け付けたとき、上記映像処理手段は、基礎画質情報受付手段が最後に受け付けた基礎画質情報を記憶した記憶部から当該基礎画質情報を取得して、当該基礎画質情報に基づいて画質を補正して上記表示部に表示させる映像を作成することを特徴とする表示装置。
【請求項３】
上記基礎画質情報受付手段が、上記複数の候補の上記画質情報に基づいて補正した画像を作成して、上記表示部に提示させ、複数の上記画像の中から１つの画像を選択する選択指示を受け付けることによって、上記基礎画質情報を受け付けることを特徴とする請求項１又は２に記載の表示装置。
【請求項４】
上記基礎画質情報受付手段が、複数の上記ジャンル情報に対して、それぞれに上記画質情報を複数関連付けて、上記基礎画質情報を受け付けることを特徴とする請求項１〜３のいずれか１項に記載の表示装置。
【請求項５】
上記コンテンツから上記ジャンル情報を抽出するジャンル情報処理手段を備え、
上記映像処理手段は、上記ジャンル情報処理手段が抽出した上記ジャンル情報に対応する上記高度画質補正情報に基づいて上記コンテンツを再生する際の画質を補正することを特徴とする請求項１〜４のいずれか１項に記載の表示装置。
【請求項６】
上記高度画質補正情報作成手段が、作成された高度画質補正情報を削除する指示を受け付けたとき、上記映像処理手段は、基礎画質情報受付手段が最後に受け付けた基礎画質情報を記憶した記憶部から当該基礎画質情報を取得して、当該基礎画質情報に基づいて画質を補正して上記表示部に表示させる映像を作成することを特徴とする請求項１に記載の表示装置。
【請求項７】
請求項１〜６のいずれか１項に記載の表示装置の各手段としてコンピュータを機能させるためのプログラム。
【請求項８】
請求項７に記載のプログラムを記録したコンピュータ読み取り可能な記憶媒体。
【国際調査報告】
2011037147.tif 000011
2011037147.tif 000012